(57)【要約】【課題】周波数の変動を低減できる発振器、およびこれを用いた電子機器および移動体を提供すること。【解決手段】発振器１は、振動子１０と、振動子１０を共振させて発振信号を出力する発振用回路２０と、電源の高電位側と、発振用回路２０の高電位側の電源ノードである第１電源ノード２１と、の間の信号経路上に配置されている第１雑音減衰回路３１と、電源の高電位側と、発振用回路２０の低電位側の電源ノードである第２電源ノード２２と、の間の信号経路上に配置されている第２雑音減衰回路３２と、を含む。【選択図】図１
2016187132.tif 000002
【特許請求の範囲】
【請求項１】
振動子と、
前記振動子を共振させて発振信号を出力する発振用回路と、
電源の高電位側と、前記発振用回路の高電位側の電源ノードである第１電源ノードと、の間の信号経路上に配置されている第１雑音減衰回路と、
前記電源の高電位側と、前記発振用回路の低電位側の電源ノードである第２電源ノードと、の間の信号経路上に配置されている第２雑音減衰回路と、
を含む、発振器。
【請求項２】
請求項１に記載の発振器において、
前記第１雑音減衰回路は、基準電圧に基づいて電圧を生成する第１レギュレーターであり、
前記第２雑音減衰回路は、前記基準電圧に基づいて電圧を生成する第２レギュレーターである、発振器。
【請求項３】
請求項１に記載の発振器において、
前記第１雑音減衰回路および前記第２雑音減衰回路は、フィルターである、発振器。
【請求項４】
請求項１ないし３のいずれか１項に記載の発振器において、
前記発振用回路の発振周波数を制御するための制御電圧を生成する制御電圧生成回路をさらに含み、
前記制御電圧生成回路の高電位側の電源ノードである第３電源ノードは、前記第１電源ノードと接続され、
前記制御電圧生成回路の低電位側の電源ノードである第４電源ノードは、前記第２電源ノードと接続されている、発振器。
【請求項５】
請求項１ないし４のいずれか１項に記載の発振器において、
前記振動子の周波数温度特性を補償するための温度補償回路をさらに含む、発振器。
【請求項６】
請求項１ないし５のいずれか１項に記載の発振器において、
発熱体をさらに含む、発振器。
【請求項７】
請求項５または６に記載の発振器において、
感温素子をさらに含む、発振器。
【請求項８】
請求項１ないし７のいずれか１項に記載の発振器を備えている、電子機器。
【請求項９】
請求項１ないし８のいずれか１項に記載の発振器を備えている、移動体。
【発明の詳細な説明】
【技術分野】
【０００１】
本発明は、発振器、電子機器および移動体に関する。
【背景技術】
【０００２】
水晶振動子（圧電振動子）やＭＥＭＳ（Micro Electro Mechanical Systems）振動子などの振動子を用いた発振器が知られている。
【０００３】
特許文献１には、電源と発振回路とが、レギュレーターを介して接続されている半導体集積回路が開示されている。
【先行技術文献】
【特許文献】
【０００４】
【特許文献１】特開平８−２０４４５０号公報
【発明の概要】
【発明が解決しようとする課題】
【０００５】
発振回路に供給される電源電圧が変動すると、発振回路の発振周波数は変動する。特許文献１の半導体集積回路では、発振回路の高電位側の電源ノードにレギュレーターを介した電圧が供給されるので、電源電圧の変動がある程度緩和されることが期待できる。しかし、周波数の変動について高い精度を要求される用途においては、不十分であるおそれがあった。
【０００６】
本発明は、以上のような技術的課題に鑑みてなされたものである。本発明のいくつかの態様によれば、周波数の変動を低減できる発振器、およびこれを用いた電子機器および移動体を提供することができる。
【課題を解決するための手段】
【０００７】
本発明は前述の課題の少なくとも一部を解決するためになされたものであり、以下の態様または適用例として実現することが可能である。
【０００８】
［適用例１］
本適用例に係る発振器は、
振動子と、
前記振動子を共振させて発振信号を出力する発振用回路と、
電源の高電位側と、前記発振用回路の高電位側の電源ノードである第１電源ノードと、の間の信号経路上に配置されている第１雑音減衰回路と、
前記電源の高電位側と、前記発振用回路の低電位側の電源ノードである第２電源ノードと、の間の信号経路上に配置されている第２雑音減衰回路と、
を含む、発振器である。
【０００９】
本適用例によれば、高電位側と低電位側の両方において、発振用回路に供給される電源電圧の変動が減衰されるので、周波数の変動を低減できる発振器を実現できる。
【００１０】
［適用例２］
上述の発振器において、
前記第１雑音減衰回路は、基準電圧に基づいて電圧を生成する第１レギュレーターであり、
前記第２雑音減衰回路は、前記基準電圧に基づいて電圧を生成する第２レギュレーターであってもよい。
【００１１】
本適用例によれば、基準電圧が変動したとしても、第１レギュレーターの出力と第２レギュレーターの出力とは、同相で変動するので、発振用回路においては互いに打ち消し合う。また、電源と第１レギュレーターの出力との間の容量結合によるノイズの回りこみによる変動と、電源と第２レギュレーターの出力との間の容量結合によるノイズの回りこみによる変動と、も同相であるので、発振用回路においては互いに打ち消し合う。したがって、周波数の変動を低減できる発振器を実現できる。
【００１２】
［適用例３］
上述の発振器において、
前記第１雑音減衰回路および前記第２雑音減衰回路は、フィルターであってもよい。
【００１３】
本適用例によれば、簡易な構成で周波数の変動を低減できる発振器を実現できる。
【００１４】
［適用例４］
上述の発振器において、
前記発振用回路の発振周波数を制御するための制御電圧を生成する制御電圧生成回路をさらに含み、
前記制御電圧生成回路の高電位側の電源ノードである第３電源ノードは、前記第１電源ノードと接続され、
前記制御電圧生成回路の低電位側の電源ノードである第４電源ノードは、前記第２電源ノードと接続されていてもよい。
【００１５】
本適用例によれば、電源の変動と同相で制御電圧が変動するので、発振用回路においては互いに打ち消し合う。したがって、周波数の変動を低減できる発振器を実現できる。
【００１６】
［適用例５］
上述の発振器において、
前記振動子の周波数温度特性を補償するための温度補償回路をさらに含んでもよい。
【００１７】
本適用例によれば、振動子の周波数温度特性が補償されるので、周波数の変動を低減できる発振器を実現できる。
【００１８】
［適用例６］
上述の発振器において、
発熱体をさらに含んでもよい。
【００１９】
本適用例によれば、振動子や発振用回路の温度を所望の温度に維持しやすいので、周波数の変動を低減できる発振器を実現できる。
【００２０】
［適用例７］
上述の発振器において、
感温素子をさらに含んでもよい。
【００２１】
本適用例によれば、振動子や発振用回路の温度を検出できるので、温度補償回路や発熱体を適切に制御できる。したがって、周波数の変動を低減できる発振器を実現できる。
【００２２】
［適用例８］
本適用例に係る電子機器は、
上述のいずれかの発振器を備えている、電子機器である。
【００２３】
本適用例によれば、周波数の変動を低減できる発振器を備えているので、動作の信頼性が高い電子機器を実現できる。
【００２４】
［適用例９］
本適用例に係る移動体は、
上述のいずれかの発振器を備えている、移動体である。
【００２５】
本適用例によれば、周波数の変動を低減できる発振器を備えているので、動作の信頼性が高い移動体を実現できる。
【図面の簡単な説明】
【００２６】
【図１】第１実施形態に係る発振器の機能ブロック図である。
【図２】第１雑音減衰回路および第２雑音減衰回路の構成例を示す回路図である。
【図３】第２実施形態に係る発振器の機能ブロック図である。
【図４】第３実施形態に係る発振器の機能ブロック図である。
【図５】第４実施形態に係る発振器の機能ブロック図である。
【図６】本実施形態に係る電子機器の機能ブロック図である。
【図７】電子機器の一例であるスマートフォンの外観の一例を示す図である。
【図８】本実施形態に係る移動体の一例を示す図（上面図）である。
【発明を実施するための形態】
【００２７】
以下、本発明の好適な実施形態について図面を用いて詳細に説明する。用いる図面は説明の便宜上のものである。なお、以下に説明する実施形態は、特許請求の範囲に記載された本発明の内容を不当に限定するものではない。また以下で説明される構成の全てが本発明の必須構成要件であるとは限らない。
【００２８】
１．発振器
１−１．第１実施形態
図１は、第１実施形態に係る発振器１の機能ブロック図である。
【００２９】
本実施形態に係る発振器１は、振動子１０と、発振用回路２０と、第１雑音減衰回路３１と、第２雑音減衰回路３２と、を含んで構成されている。
【００３０】
振動子１０と発振用回路２０とは、振動子１０を発振素子とする発振回路を構成する。
【００３１】
振動子１０としては、例えば、ＳＣカットやＡＴカットの水晶振動子、ＳＡＷ（Surface Acoustic Wave）共振子などを用いることができる。また、振動子１０として、例えば、水晶振動子以外の圧電振動子やＭＥＭＳ（Micro Electro Mechanical Systems）振動子などを用いることもできる。振動子１０の基板材料としては、水晶、タンタル酸リチウム、ニオブ酸リチウム等の圧電単結晶や、ジルコン酸チタン酸鉛等の圧電セラミックス等の圧電材料、またはシリコン半導体材料等を用いることができる。また、振動子１０の励振手段としては、圧電効果によるものを用いてもよいし、クーロン力による静電駆動を用いてもよい。
【００３２】
発振回路としては、例えば、コルピッツ発振回路、ハートレー発振回路、インバーター型発振回路など、種々の公知の発振回路を採用できる。
【００３３】
発振用回路２０は、高電位側の電源ノードである第１電源ノード２１と、低電位側の電源ノードである第２電源ノード２２と、を有している。発振用回路２０は、第１電源ノード２１および第２電源ノード２２を介して電源の供給を受ける。発振用回路２０は、出力端子ＯＵＴから、発振信号を出力する。
【００３４】
第１雑音減衰回路３１は、電源の高電位側（端子Ｖｃｃ）と、発振用回路２０の第１電源ノード２１と、の間の信号経路上に配置されている。第１雑音減衰回路３１は、電源の高電位側（端子Ｖｃｃ）から入力されるノイズの少なくとも一部を減衰させる。本実施形態においては、第１雑音減衰回路３１は、電源電位および接地電位の供給を受けて電圧Ｖ１を生成する第１レギュレーター３１０で構成されている。
【００３５】
第２雑音減衰回路３２は、電源の高電位側（端子Ｖｃｃ）と、発振用回路２０の第２電源ノード２２と、の間の信号経路上に配置されている。第２雑音減衰回路３２は、電源の高電位側（端子Ｖｃｃ）から入力されるノイズの少なくとも一部を減衰させる。本実施形態においては、第２雑音減衰回路３２は、電源電位および接地電位の供給を受けて、電圧Ｖ１よりも低い電圧Ｖ２を生成する第２レギュレーター３２０で構成されている。
【００３６】
本実施形態によれば、高電位側と低電位側の両方において、発振用回路２０に供給される電源電圧の変動が減衰されるので、周波数の変動を低減できる発振器１を実現できる。
【００３７】
図２は、第１雑音減衰回路３１および第２雑音減衰回路３２の構成例を示す回路図である。
【００３８】
本実施形態の第１雑音減衰回路３１は、基準電圧Ｖｒに基づいて電圧を生成する第１レギュレーター３１０であり、第２雑音減衰回路３２は、基準電圧Ｖｒに基づいて電圧を生成する第２レギュレーター３２０である。
【００３９】
図２に示される例では、第１レギュレーター３１０は、増幅回路Ａ１、ＰＭＯＳトランジスターＭ１、電流源回路Ｉ１、コンデンサーＣ１、抵抗Ｒ１１および抵抗Ｒ１２を含んで構成されているプッシュ型のレギュレーターである。増幅回路Ａ１の非反転入力端子には、基準電圧生成回路３３０から基準電圧Ｖｒが入力される。増幅回路Ａ１の出力端子は、ＰＭＯＳトランジスターＭ１のゲートに接続されている。ＰＭＯＳトランジスターＭ１と電流源回路Ｉ１とは、電源から接地までの間に順に直列に接続されている。ＰＭＯＳトランジスターＭ１のソースは電源に接続され、ＰＭＯＳトランジスターＭ１のドレインは電流源回路Ｉ１に接続されているとともに、抵抗Ｒ１２の一端およびコンデンサーＣ１の一端に接続され、第１レギュレーター３１０の出力端子となる。抵抗Ｒ１２の他端は、増幅回路Ａ１の反転入力端子に接続されているとともに、抵抗Ｒ１１を介して接地に接続されている。コンデンサーＣ１の他端は接地に接続されている。
【００４０】
図２に示される例では、第２レギュレーター３２０は、増幅回路Ａ２、ＰＭＯＳトランジスターＭ２、電流源回路Ｉ２、コンデンサーＣ２、抵抗Ｒ２１および抵抗Ｒ２２を含んで構成されているプッシュ型のレギュレーターである。増幅回路Ａ２の非反転入力端子には、基準電圧生成回路３３０から基準電圧Ｖｒが入力される。増幅回路Ａ２の出力端子は、ＰＭＯＳトランジスターＭ２のゲートに接続されている。ＰＭＯＳトランジスターＭ２と電流源回路Ｉ２とは、電源から接地までの間に順に直列に接続されている。ＰＭＯＳトランジスターＭ２のソースは電源に接続され、ＰＭＯＳトランジスターＭ２のドレインは電流源回路Ｉ２に接続されているとともに、抵抗Ｒ２２の一端およびコンデンサーＣ２の一端に接続され、第２レギュレーター３２０の出力端子となる。抵抗Ｒ２２の他端は、増幅回路Ａ２の反転入力端子に接続されているとともに、抵抗Ｒ２１を介して接地に接続されている。コンデンサーＣ２の他端は接地に接続されている。
【００４１】
本実施形態によれば、基準電圧Ｖｒが変動したとしても、第１レギュレーター３１０の出力と第２レギュレーター３２０の出力とは、同相で変動するので、発振用回路２０においては互いに打ち消し合う。また、電源（端子Ｖｃｃ）と第１レギュレーター３１０の出力との間の容量結合によるノイズの回りこみによる変動と、電源（端子Ｖｃｃ）と第２レギュレーター３２０の出力との間の容量結合によるノイズの回りこみによる変動と、も同相であるので、発振用回路２０においては互いに打ち消し合う。したがって、周波数の変動を低減できる発振器１を実現できる。
【００４２】
１−２．第２実施形態
図３は、第２実施形態に係る発振器１ａの機能ブロック図である。第１実施形態と同様の構成には同一の符号を付し、詳細な説明を省略する。
【００４３】
発振器１ａの第１雑音減衰回路３１は、フィルター３１２で構成されている。また、発振器１ａの第２雑音減衰回路３２は、フィルター３２２で構成されている。フィルター３１２およびフィルター３２２としては、例えば、ハイパスフィルター、ローパスフィルター、バンドパスフィルター、バンドエリミネーションフィルターなど、種々の公知のフィルターを採用できる。
【００４４】
本実施形態によれば、簡易な構成で周波数の変動を低減できる発振器１ａを実現できる。また、第１実施形態と同様の理由により同様の効果を奏する。
【００４５】
１−３．第３実施形態
図４は、第３実施形態に係る発振器１ｂの機能ブロック図である。第１実施形態と同様の構成には同一の符号を付し、詳細な説明を省略する。
【００４６】
本実施形態の発振器１ｂは、発振用回路２０の発振周波数を制御するための制御電圧Ｖｃを生成する制御電圧生成回路４０をさらに含んで構成されている。制御電圧生成回路４０は、端子Ｃｔｒｌから入力される制御信号に基づいて、制御電圧Ｖｃを生成して、発振用回路２０の制御ノード２３に出力する。発振用回路２０は、制御電圧生成回路４０が出力する制御電圧Ｖｃに応じた周波数で振動子１０を発振させる。
【００４７】
制御電圧生成回路４０は、アナログ回路でもよいし、デジタル回路でもよいし、これらの組み合わせであってもよい。例えば、制御電圧生成回路４０は、デジタルの制御信号をアナログに変換するデジタル−アナログ変換回路を含んで構成されていてもよい。また例えば、制御電圧生成回路４０は、アナログの制御信号を増幅または減衰する増幅回路を含んで構成されていてもよい。
【００４８】
制御電圧生成回路４０の高電位側の電源ノードである第３電源ノード４３は、発振用回路２０の第１電源ノード２１と接続されている。また、制御電圧生成回路４０の低電位側の電源ノードである第４電源ノード４４は、発振用回路２０の第２電源ノード２２と接続されている。
【００４９】
本実施形態によれば、電源の変動と同相で制御電圧Ｖｃが変動するので、発振用回路２０においては互いに打ち消し合う。したがって、周波数の変動を低減できる発振器１ｂを実現できる。また、第１実施形態と同様の理由により同様の効果を奏する。
【００５０】
１−４．第４実施形態
図５は、第４実施形態に係る発振器１ｃの機能ブロック図である。第１実施形態と同様の構成には同一の符号を付し、詳細な説明を省略する。
【００５１】
本実施形態の発振器１ｃは、温度補償回路５０をさらに含んで構成されている。温度補償回路５０は、振動子１０の周波数温度特性を補償するための補正電圧Ｖｃｍｐを生成して発振用回路２０の制御ノード２４に出力する。発振用回路２０は、温度補償回路５０が出力する補正電圧Ｖｃｍｐに応じた周波数で振動子１０を発振させる。
【００５２】
本実施形態によれば、振動子１０の周波数温度特性が補償されるので、周波数の変動を低減できる発振器１ｃを実現できる。
【００５３】
本実施形態の発振器１ｃは、発熱体６０および温度制御回路８０をさらに含んで構成されている。
【００５４】
発熱体６０は、温度制御回路８０に制御されて熱を発する。発熱体６０としては、例えば、電流を流すことで発熱する素子（パワートランジスターや抵抗など）を用いることができる。
【００５５】
本実施形態によれば、振動子１０や発振用回路２０の温度を所望の温度に維持しやすいので、周波数の変動を低減できる発振器１ｃを実現できる。
【００５６】
本実施形態の発振器１ｃは、感温素子７０をさらに含んで構成されている。感温素子７０は、振動子１０の周辺の温度を検出する。本実施形態においては、感温素子７０は、振動子１０の近くに配置されている。
【００５７】
感温素子７０としては、例えば、サーミスター（ＮＴＣサーミスター（Negative Temperature Coefficient）やＰＴＣ（Positive Temperature Coefficient）サーミスターなど）、白金抵抗、順方向電圧温度依存性を利用するダイオードなどを用いることができる。
【００５８】
また、温度補償回路５０は、感温素子７０が検出する温度に基づいて補正電圧Ｖｃｍｐを生成する。また、温度制御回路８０は、感温素子７０が検出する温度に基づいて、振動子１０の温度が一定となるように発熱体６０を制御する。
【００５９】
本実施形態によれば、振動子１０や発振用回路２０の温度を検出できるので、温度補償回路５０や発熱体６０を適切に制御できる。したがって、周波数の変動を低減できる発振器１ｃを実現できる。
【００６０】
また、本実施形態においても、第１実施形態と同様の理由により同様の効果を奏する。
【００６１】
２．電子機器
図６は、本実施形態に係る電子機器５００の機能ブロック図である。なお、上述され
た各実施形態と同様の構成には同一の符号を付し、詳細な説明を省略する。
【００６２】
本実施形態に係る電子機器５００は、発振器１を含む電子機器５００である。図６に示される例では、電子機器５００は、発振器１、逓倍回路５１０、ＣＰＵ（Central Processing Unit）５２０、操作部５３０、ＲＯＭ（Read Only Memory）５４０、ＲＡＭ（Random Access Memory）５５０、通信部５６０、表示部５７０、音出力部５８０を含んで構成されている。なお、本実施形態に係る電子機器５００は、図６に示される構成要素（各部）の一部を省略または変更してもよいし、他の構成要素を付加した構成としてもよい。
【００６３】
逓倍回路５１０は、クロックパルスをＣＰＵ５２０だけでなく各部に供給する（図示は省略）。クロックパルスは、例えば発振器１からの発振信号から所望の高調波信号を逓倍
回路５１０で取り出した信号であってもよいし、発振器１からの発振信号を、ＰＬＬシンセサイザーを有する逓倍回路５１０で逓倍した信号であってもよい（図示は省略）。
【００６４】
ＣＰＵ５２０は、ＲＯＭ５４０等に記憶されているプログラムに従い、逓倍回路５１０が出力するクロックパルスを用いて各種の計算処理や制御処理を行う。具体的には、ＣＰＵ５２０は、操作部５３０からの操作信号に応じた各種の処理、外部とデータ通信を行うために通信部５６０を制御する処理、表示部５７０に各種の情報を表示させるための表示信号を送信する処理、音出力部５８０に各種の音を出力させる処理等を行う。
【００６５】
操作部５３０は、操作キーやボタンスイッチ等により構成される入力装置であり、ユーザーによる操作に応じた操作信号をＣＰＵ５２０に出力する。
【００６６】
ＲＯＭ５４０は、ＣＰＵ５２０が各種の計算処理や制御処理を行うためのプログラムやデータ等を記憶している。
【００６７】
ＲＡＭ５５０は、ＣＰＵ５２０の作業領域として用いられ、ＲＯＭ５４０から読み出されたプログラムやデータ、操作部５３０から入力されたデータ、ＣＰＵ５２０が各種プログラムにしたがって実行した演算結果等を一時的に記憶する。
【００６８】
通信部５６０は、ＣＰＵ５２０と外部装置との間のデータ通信を成立させるための各種制御を行う。
【００６９】
表示部５７０は、ＬＣＤ（Liquid Crystal Display）や電気泳動ディスプレイ等により構成される表示装置であり、ＣＰＵ５２０から入力される表示信号に基づいて各種の情報を表示する。
【００７０】
そして、音出力部５８０は、スピーカー等の音を出力する装置である。
【００７１】
本実施形態に係る電子機器５００によれば、周波数の変動を低減できる発振器１を備えているので、動作の信頼性が高い電子機器５００を実現できる。
【００７２】
電子機器５００としては種々の電子機器が考えられる。例えば、パーソナルコンピューター（例えば、モバイル型パーソナルコンピューター、ラップトップ型パーソナルコンピューター、タブレット型パーソナルコンピューター）、携帯電話機などの移動体端末、ディジタルカメラ、インクジェット式吐出装置（例えば、インクジェットプリンター）、ルーターやスイッチなどのストレージエリアネットワーク機器、ローカルエリアネットワーク機器、移動体端末基地局用機器、テレビ、ビデオカメラ、ビデオレコーダー、カーナビゲーション装置、ページャー、電子手帳（通信機能付も含む）、電子辞書、電卓、電子ゲーム機器、ゲーム用コントローラー、ワードプロセッサー、ワークステーション、テレビ電話、防犯用テレビモニター、電子双眼鏡、ＰＯＳ（point of sale）端末、医療機器（例えば電子体温計、血圧計、血糖計、心電図計測装置、超音波診断装置、電子内視鏡）、魚群探知機、各種測定機器、計器類（例えば、車両、航空機、船舶の計器類）、フライトシミュレーター、ヘッドマウントディスプレイ、モーショントレース、モーショントラッキング、モーションコントローラー、ＰＤＲ（歩行者位置方位計測）等が挙げられる。
【００７３】
図７は、電子機器５００の一例であるスマートフォンの外観の一例を示す図である。電子機器５００であるスマートフォンは、操作部５３０としてボタンを、表示部５７０としてＬＣＤを備えている。そして、電子機器５００であるスマートフォンは、周波数の変動を低減できる発振器１を備えているので、動作の信頼性が高い電子機器５００を実現できる。
【００７４】
３．移動体
図８は、本実施形態に係る移動体４００の一例を示す図（上面図）である。なお、上述された各実施形態と同様の構成には同一の符号を付し、詳細な説明を省略する。
【００７５】
本実施形態に係る移動体４００は、発振器１を含む移動体４００である。図８に示される例では、移動体４００は、エンジンシステム、ブレーキシステム、キーレスエントリーシステム等の各種の制御を行うコントローラー４２０、コントローラー４３０、コントローラー４４０、バッテリー４５０およびバックアップ用バッテリー４６０を含んで構成されている。なお、本実施形態に係る移動体４００は、図８に示される構成要素（各部）の一部を省略または変更してもよいし、他の構成要素を付加した構成としてもよい。
【００７６】
本実施形態に係る移動体４００によれば、周波数の変動を低減できる発振器１を備えているので、動作の信頼性が高い移動体４００を実現することができる。
【００７７】
このような移動体４００としては種々の移動体が考えられ、例えば、自動車（電気自動車も含む）、ジェット機やヘリコプター等の航空機、船舶、ロケット、人工衛星等が挙げられる。
【００７８】
本発明は本実施形態に限定されず、本発明の要旨の範囲内で種々の変形実施が可能である。
【００７９】
上述した実施形態および変形例は一例であって、これらに限定されるわけではない。例えば、各実施形態および各変形例を適宜組み合わせることも可能である。
【００８０】
本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【００８１】
１，１ａ，１ｂ，１ｃ…発振器、１０…振動子、２０…発振用回路、２１…第１電源ノード、２２…第２電源ノード、２３…制御ノード、２４…制御ノード、３１…第１雑音減衰回路、３２…第２雑音減衰回路、４０…制御電圧生成回路、４３…第３電源ノード、４４…第４電源ノード、５０…温度補償回路、６０…発熱体、７０…感温素子、８０…温度制御回路、３１０…第１レギュレーター、３１２…フィルター、３２０…第２レギュレーター、３２２…フィルター、３３０…基準電圧生成回路、４００…移動体、４１０…発振器、４２０，４３０，４４０…コントローラー、４５０…バッテリー、４６０…バックアップ用バッテリー、５００…電子機器、５１０…逓倍回路、５２０…ＣＰＵ、５３０…操作部、５４０…ＲＯＭ、５５０…ＲＡＭ、５６０…通信部、５７０…表示部、５８０…音出力部、Ａ１，Ａ２…増幅回路、Ｃ１，Ｃ２…コンデンサー、Ｍ１，Ｍ２…ＰＭＯＳトランジスター、ＯＵＴ…出力端子、Ｒ１１，Ｒ１２，Ｒ２１，Ｒ２２…抵抗
【図１】
2016187132.tif 000003
【図２】
2016187132.tif 000004
【図３】
2016187132.tif 000005
【図４】
2016187132.tif 000006
【図５】
2016187132.tif 000007
【図６】
2016187132.tif 000008
【図７】
2016187132.tif 000009
【図８】
2016187132.tif 000010